(57)【特許請求の範囲】
【請求項１】
洗濯機用ダンパーであって、
内部に収納キャビティが画定されているダンパースリーブと、
前記ダンパースリーブに可動に接続されるダンパーロッドと、
前記ダンパーロッド及び／又は前記ダンパースリーブに設けられる弾性部材と、
前記ダンパーロッドに嵌めて設けられ、且つ前記ダンパースリーブに装着される第１ダンピング部材と、
前記ダンパーロッドに装着され、且つ前記収納キャビティに収容される第２ダンピング部材と、
前記ダンパースリーブから離れるように前記ダンパーロッドに設けられる上支持部と、
前記ダンパースリーブに設けられる下支持部と、
前記収納キャビティの開口に設けられ、且つ前記ダンパースリーブと前記下支持部との間に位置する位置制限部材とを備え、
前記第１ダンピング部材及び前記第２ダンピング部材は、前記ダンパーロッドと前記ダンパースリーブとが相対的に運動するときにダンピングを発生し、
前記弾性部材の両端がそれぞれ前記上支持部及び前記下支持部に当接され、
前記ダンパースリーブには、前記ダンパーロッドを入れるための開口が設けられ、前記第１ダンピング部材は、前記開口に隣接して設けられ、且つ前記ダンパーロッドと締まり嵌めし、
前記第１ダンピング部材が前記位置制限部材と前記下支持部との間に位置する、
ことを特徴とする洗濯機用ダンパー。
【請求項２】
前記下支持部は、前記ダンパーロッドに嵌めて設けられ、且つ前記ダンパースリーブに固定して接続される、
ことを特徴とする請求項１に記載の洗濯機用ダンパー。
【請求項３】
前記下支持部は、
一端が前記ダンパースリーブに当接され、内部に前記ダンパーロッドを挿通可能なチャンネルが画定されており、前記第１ダンピング部材が前記チャンネル内に設けられ、且つ前記位置制限部材が前記第１ダンピング部材に当接される取り付けカラムを備える、
ことを特徴とする請求項１に記載の洗濯機用ダンパー。
【請求項４】
前記下支持部は、
前記取り付けカラムから、前記第１ダンピング部材から離れた一側へ延びているとともに、前記ダンパースリーブに係合される取り付け部を更に備える、
ことを特徴とする請求項３に記載の洗濯機用ダンパー。
【請求項５】
前記ダンパースリーブと前記下支持部との接続部位には、前記ダンパースリーブの周方向に外へ突出しているボスが設けられ、前記ボスには、前記取り付け部と嵌合する係合溝が設けられている、
ことを特徴とする請求項４に記載の洗濯機用ダンパー。
【請求項６】
前記取り付け部には、前記係合溝に係合される係合爪が設けられている、
ことを特徴とする請求項５に記載の洗濯機用ダンパー。
【請求項７】
前記第２ダンピング部材は、前記ダンパーロッドの一端に固定され、前記第２ダンピング部材の外壁面と前記収納キャビティの内壁面との間には、隙間を有する、
ことを特徴とする請求項１に記載の洗濯機用ダンパー。
【請求項８】
前記ダンパーロッドの一端に設けられて、前記第２ダンピング部材を固定する取り付けナットを更に備える、
ことを特徴とする請求項１に記載の洗濯機用ダンパー。
【請求項９】
洗濯機であって、
請求項１〜８のいずれか１項に記載の洗濯機用ダンパーを備えることを特徴とする洗濯機。
【発明の詳細な説明】
【技術分野】
【０００１】
本発明は電器製造の技術分野に関し、具体的には、洗濯機用ダンパー及び該ダンパーを有する洗濯機に関する。
【背景技術】
【０００２】
従来のパルセータ型洗濯機では、サスペンション機構を吊り棒の形態とし、吊り棒は、制振ダンピングの役割を果たす反面、以下の欠点が存在する。
（１）洗濯機を用いて洗濯するに際して、衣類の偏心が大きく、振動が大きいと、外箱に衝突しやすい。
（２）洗濯機を用いて低速で脱水するとき、吊り棒は、好適な支持作用を果たすことができず、槽が大幅に揺れて、外箱に衝突しやすい。
（３）吊り棒が大きなスペースを占めるため、洗濯機の容量を減少させる。
【０００３】
上記欠点の存在のため、従来の吊り棒洗濯機は、衣類を洗濯するとき、槽が外箱に衝突して槽の振動を外箱に伝達することが発生しやすく、振動による騒音が大きい。
【発明の概要】
【発明が解決しようとする課題】
【０００４】
本発明は、関連技術の上記技術課題の１つを少なくともある程度まで解決することを目的とする。
【課題を解決するための手段】
【０００５】
そのために、本発明は、構造がシンプルであり、振動吸収効果が良好であり、また、小さなスペースを占める洗濯機用ダンパーを提供する。
【０００６】
本発明は、該ダンパーを備える洗濯機を更に提供する。
【０００７】
本発明の第１形態の実施例による洗濯機用ダンパーは、内部に収納キャビティが画定されているダンパースリーブと、ダンパースリーブに可動に接続されるダンパーロッドと、ダンパーロッド及び／又はダンパースリーブに設けられる弾性部材と、ダンパーロッドに嵌めて設けられ、且つダンパースリーブに装着される第１ダンピング部材と、ダンパーロッドに装着され、且つ収納キャビティに収納される第２ダンピング部材と、を備え、第１ダンピング部材及び第２ダンピング部材は、ダンパーロッドとダンパースリーブとが相対的に運動するときにダンピングを発生する。
【０００８】
本発明の実施例によるダンパーは、ダンパーロッドがダンパースリーブと相対運動するときにダンパーロッドに当接できる第１ダンピング部材を設けることで、ダンパーロッドがダンパースリーブと相対運動するときにダンピングを発生し、ダンパーロッドに収納キャビティ内に位置する第２ダンピング部材を設けることで、ダンパーロッドが揺れると、第２ダンピング部材が収納キャビティの内側壁面と摩擦してダンピングを発生し、それにより、振動を効果的に緩和し、洗濯機に適用すると、洗濯機の揺れを減少させることができ、また、該ダンパーが小さなスペースを占め、洗濯機の容量を解放できる。
【０００９】
本発明の一実施例によれば、ダンパーは、ダンパースリーブから離れるようにダンパーロッドに設けられる上支持部と、ダンパースリーブに設けられる下支持部と、を更に備え、弾性部材の両端がそれぞれ上支持部及び下支持部に当接される。
【００１０】
本発明の一実施例によれば、下支持部は、ダンパーロッドに嵌めて設けられ、且つダンパースリーブに固定して接続される。
【００１１】
本発明の一実施例によれば、ダンパースリーブには、ダンパーロッドを入れるための開口が設けられ、第１ダンピング部材は、開口に隣接して設けられ、且つダンパーロッドと締まり嵌めする。
【００１２】
本発明の一実施例によれば、ダンパーは、収納キャビティの開口に設けられ、且つダンパースリーブと下支持部との間に位置する位置制限部材を更に備え、第１ダンピング部材が位置制限部材と下支持部との間に位置する。
【００１３】
本発明の一実施例によれば、下支持部は、一端がダンパースリーブに当接され、内部にダンパーロッドを挿通可能なチャンネルが画定されており、第１ダンピング部材がチャンネル内に設けられ、且つ位置制限部材が第１ダンピング部材に当接される取り付けカラムを備える。
【００１４】
本発明の一実施例によれば、下支持部は、取り付けカラムから、第１ダンピング部材から離れた一側へ延びているとともに、ダンパースリーブに係合される取り付け部を更に備える。
【００１５】
本発明の一実施例によれば、ダンパースリーブと下支持部との接続部位には、ダンパースリーブの周方向に外へ突出しているボスが設けられ、ボスには、取り付け部と嵌合する係合溝が設けられている。
【００１６】
本発明の一実施例によれば、取り付け部には、係合溝に係合される係合爪が設けられている。
【００１７】
本発明の一実施例によれば、第２ダンピング部材は、ダンパーロッドの一端に固定され、第２ダンピング部材の外壁面と収納キャビティの内壁面との間には、隙間を有する。
【００１８】
本発明の一実施例によれば、ダンパーは、ダンパーロッドの一端に設けられて、第２ダンピング部材を固定する取り付けナットを更に備える。
【００１９】
本発明の第２形態の実施例による洗濯機は、上記実施例に記載の洗濯機用ダンパーを備える。
【図面の簡単な説明】
【００２０】
本発明の上記及び／又は追加の態様及び利点は、以下の図面を参照しながら実施例を説明することによって明らかで容易に理解できるようになる。
【図１】本発明の一実施例による洗濯機用ダンパーの構造模式図である。
【図２】図１中のＡ−Ａ線の断面図である。
【図３】図２中Ｂの局所拡大模式図である。
【図４】本発明の他の実施例による洗濯機用ダンパーの構造模式図である。
【図５】図４中のＣ−Ｃ線の断面図である。
【発明を実施するための形態】
【００２１】
以下に、本発明の実施例を詳細に説明する。前記実施例の例は、図に示され、一貫して同様又は類似の参照番号は、同一又は類似の要素および同一又は類似の機能を有する要素を示す。以下、図面を参照して記述される実施例は、例示的なものであって、本発明を解釈するためのものに過ぎず、本発明を制限するものとして理解してはいけない。
【００２２】
なお、本発明の説明において、「上」、「下」、「垂直」、「水平」、「頂」、「底」「内」、「外」、「軸方向」、「径方向」、「周方向」などの用語が示す方位又は位置関係は、図面に示す方位又は位置関係に基づき、本発明を便利に又は簡単に説明するためのものであり、指定された装置又は部材が特定の方位にあり、特定の方位において構造され操作されると指示又は暗示するものではないので、本願を限定するものと理解してはいけない。また、本発明の説明において、特に説明しない限り、「複数」の意味は２つ以上である。
【００２３】
ただし、本発明の説明において、明確な規定と限定がない限り、用語「取り付け」、「互いに接続」、「接続」の意味は広く理解されるべきである。たとえば、固定接続や、着脱可能な接続や、あるいは一体的な接続でも可能であり、機械的接続、電気的接続でも可能であり、直接的に接続することや、中間媒体を介して間接的に接続することも可能である。２つの部材の内部が貫通することも可能である。当業者にとって、具体的な状況に応じて上記用語の本発明中の具体的な意味を理解することができる。
【００２４】
以下、図面を参照しながら、本発明の実施例による洗濯機用ダンパー１００について説明する。
【００２５】
図１〜図５に示すように、本発明の実施例による洗濯機用ダンパー１００は、ダンパースリーブ１０、ダンパーロッド２０、弾性部材３０、第１ダンピング部材４０及び第２ダンピング部材８０を備える。
【００２６】
具体的には、ダンパースリーブ１０内に収納キャビティ１１が画定され、ダンパーロッド２０がダンパースリーブ１０に可動に接続され、弾性部材３０がダンパーロッド２０及び／又はダンパースリーブ１０に設けられ、第１ダンピング部材４０がダンパーロッド２０に嵌めて設けられ、且つダンパースリーブ１０に装着され、第２ダンピング部材８０がダンパーロッド２０に装着され、収納キャビティ１１内に収容され、第１ダンピング部材４０及び第２ダンピング部材８０は、ダンパーロッド２０とダンパースリーブ１０とが相対的に運動するときにダンピングを発生する。
【００２７】
つまり、本発明の実施例による洗濯機用ダンパー１００は、洗濯機の台座と水受け（図示せず）との間に適用でき、ダンパー１００は、ほぼ垂直方向に延びており、下端が洗濯機の台座に接続され、上端が洗濯機の水受け又はその他の支持構造に接続されることで、支持・振動吸収作用を果たす。ダンパー１００は、主に、ダンパースリーブ１０、ダンパーロッド２０、弾性部材３０、第１ダンピング部材４０及び第２ダンピング部材８０を備え、ダンパースリーブ１０内に収納キャビティ１１、及び収納キャビティ１１と連通する排気孔１２が設けられ、ダンパーロッド２０の下端が収納キャビティ１１内に可動に差し込まれ、ダンパーロッド２０の上端とダンパースリーブ１０の上端との間に弾性部材３０が設けられ、弾性部材３０がダンパーロッド２０において収納キャビティ１１内に運動するときに押し出され、振動吸収と緩衝作用を果たすことができる。
【００２８】
第１ダンピング部材４０は、ダンパースリーブ１０に装着され、且つダンパーロッド２０に嵌めて設けられ、少なくとも一部がダンパーロッド２０に当接され、ダンパーロッド２０がダンパースリーブ１０に対して上下に運動するときに、ダンパーロッド２０と摩擦してダンピングを発生することで、ダンパースリーブ１０に対するダンパーロッド２０の揺れを制御することができる。第２ダンピング部材８０が収納キャビティ１１内に収容されるように、第２ダンピング部材８０がダンパーロッド２０の下端に差し込み、ダンパーロッド２０の下端が収納キャビティ１１内に差し込むことができ、ダンパーロッド２０が左右に揺れると、第２ダンピング部材８０と収納キャビティ１１の内側壁面とが相対的に運動し、ダンピングを発生して揺れを減少させる。ダンパーロッド２０が上下左右に揺れると、第１ダンピング部材４０と第２ダンピング部材８０が同時に作用してダンピングを発生して揺れを減少させ、それにより、洗濯機の内箱の運動を更に制御し、洗濯機の揺れを減少させ、内箱が外箱に衝突する確率を低下させる。
【００２９】
それにより、本発明の実施例によるダンパー１００は、ダンパーロッド２０がダンパースリーブ１０と相対運動するときにダンパーロッド２０に当接できる第１ダンピング部材４０を設けることで、ダンパーロッド２０がダンパースリーブ１０と相対的に運動するときにダンピングを発生し、ダンパーロッド２０に収納キャビティ１１内に位置する第２ダンピング部材８０を設けることで、ダンパーロッド２０が揺れると、第２ダンピング部材８０が収納キャビティ１１の内側壁面と摩擦してダンピングを発生し、それにより、振動を効果的に緩和し、即ち、洗濯機の揺れを減少させることができ、また該ダンパーが小さなスペースを占め、洗濯機の容量を解放する。
【００３０】
本発明の一実施例によれば、ダンパースリーブ１０は、ほぼ柱状に形成され、ダンパーロッド２０の一端がダンパースリーブ１０の軸方向に沿って収納キャビティ１１内に可動に差し込まれる。
【００３１】
具体的には、図２及び図５に示すように、ダンパースリーブ１０は、ほぼ垂直方向に延びている柱状構造に形成され、収納キャビティ１１は、ダンパースリーブ１０内に設けられ、且つ同様に垂直方向に凹んで形成され、ダンパーロッド２０の下端を挿入するように、収納キャビティ１１の上端が開放し、ダンパーロッド２０の下端が収納キャビティ１１内に差し込まれ、且つ垂直方向に運動可能である。ダンパーロッド２０が下へ運動するときに、ダンパーロッド２０が徐々に収納キャビティ１１を充填し、収納キャビティ１１内の空気を排気孔１２から排出できるとともに、第１ダンピング部材４０はダンパーロッド２０と摩擦してダンピングを発生することができ、それにより、振動を減少させる効果を果たす。該構造のダンパー１００は長さが短く、洗濯機が洗濯するとき、内箱の運動を効果的に制限し、揺れを減少させることができ、また、小さな洗濯機の下部スペースを占め、洗濯機の容量を解放できる。
【００３２】
本発明のいくつかの具体的な実施形態では、洗濯機用ダンパー１００は、上支持部５０及び下支持部６０を更に備える。上支持部５０は、ダンパースリーブ１０から離れるようにダンパーロッド２０に設けられ、下支持部６０は、ダンパースリーブ１０に設けられ、弾性部材３０の両端がそれぞれ上支持部５０及び下支持部６０に当接される。
【００３３】
具体的には、図２及び図３に示すように、ダンパーロッド２０の上端に隣接する位置に上支持部５０が設けられ、ダンパースリーブ１０の上端に下支持部６０が設けられ、ダンパーロッド２０の下端が下支持部６０を通り抜けて収納キャビティ１１内に挿入され、弾性部材３０は、ダンパーロッド２０に嵌めて設けられ、上端が上支持部５０に当接され、下端が下支持部６０に当接されるバネ構造であってもよい。ダンパーロッド２０が力を受けて下へ運動するときに、上支持部５０がダンパーロッド２０とともに下へ運動し、バネの下端が下支持部６０によって固定され、従って、上支持部５０が下へバネを押し出し、バネの弾性作用力はダンパーロッド２０に対して振動吸収と緩衝の作用を果たす。ダンパーロッド２０に印加する下向きの力が消えるとき、バネは自体の弾性作用力の作用下で上へ上支持部５０を推進することで、ダンパーロッド２０を初期状態に戻す。それにより、該ダンパー１００は上支持部５０及び下支持部６０によってバネを取り付けて固定し、バネの弾性とダンピング部材のダンピング作用により、内箱の運動を制御し、構造がより合理的になり、緩衝と振動吸収効果が高くなり、また、ダンパー１００の長さを効果的に制御し、更に洗濯機の容量を解放することができる。
【００３４】
好ましくは、下支持部６０は、ダンパーロッド２０に嵌めて設けられ、且つダンパースリーブ１０に固定して接続される。更に、ダンパースリーブ１０には、ダンパーロッド２０を入れるための開口が設けられ、第１ダンピング部材４０は、開口に隣接して設けられ、且つダンパーロッド２０と締まり嵌めする。
【００３５】
上支持部５０及び下支持部６０は、それぞれダンパーロッド２０に嵌めて設けられ、即ち、それぞれ環状構造に形成され、環状構造の上支持部５０によりバネの上端の固定を容易にし、環状構造の下支持部６０によりバネの下端の固定を容易にするだけではなく、第１ダンピング部材４０とダンパースリーブ１０との嵌合を容易にし、構造がより合理的になり、組み立てやすい。
【００３６】
ダンパーロッド２０がダンパースリーブ１０と相対的に運動するときにダンパーロッド２０と摩擦してダンピングを発生する効果を満たす限り、第１ダンピング部材４０の固定位置は、ダンパー１００の具体的な構造に応じて調整できる。ダンパーロッド２０の収納キャビティ１１内に挿入する部分に第２ダンピング部材８０が取り付けられので、第２ダンピング部材８０を取り付けやすくするために、収納キャビティ１１の開口を大きくする必要があり、従って、第１ダンピング部材４０を取り付けやすくするために、本発明の一実施例によれば、ダンパー１００は、収納キャビティ１１の開口に設けられ、且つダンパースリーブ１０と下支持部６０との間に位置する位置制限部材１７を更に備え、第１ダンピング部材４０が位置制限部材１７と下支持部６０との間に位置する。
【００３７】
つまり、本実施例では、第１ダンピング部材４０は、ダンパースリーブ１０の上端開口に設けられ、且つダンパースリーブ１０の上端と下支持部６０との間に位置し、ダンパースリーブ１０の開口には位置制限部材１７が設けられ、位置制限部材１７が下支持部６０と嵌合して第１ダンピング部材４０を制限し、即ち、第１ダンピング部材４０が下支持部６０と位置制限部材１７０の嵌合によってダンパースリーブ１０に取り付けられ、且つ第１ダンピング部材４０が中空柱状に形成され、ダンパーロッド２０の下端が第１ダンピング部材４０と位置制限部材１７を通り抜けて収納キャビティ１１内に挿入される。ダンパーロッド２０が上下運動するときに、第１ダンピング部材４０が下支持部６０と位置制限部材との間に制限されることで、ダンパーロッド２０が第１ダンピング部材４０と摩擦してダンピングを発生する。それにより、該構造の第１ダンピング部材４０は組み立てやすく、第２ダンピング部材８０の正常な組み立てに影響を与えず、ダンパーロッド２０との接触面が大きく、振動吸収効果を確保できる。
【００３８】
図３に示すように、本発明のいくつかの具体的な実施形態では、下支持部６０は、取り付けカラム６１と制限部６２を備える。
【００３９】
具体的には、取り付けカラム６１の一端がダンパースリーブ１０に当接され、取り付けカラム６１内にはダンパーロッド２０を挿通可能なチャンネル６１１が画定されており、第１ダンピング部材４０がチャンネル６１１内に設けられ、且つ位置制限部材１７が第１ダンピング部材４０に当接される。
【００４０】
つまり、下支持部６０はダンパーロッド２０に嵌めて設けられ、且つ主に取り付けカラム６１と制限部６２の２つの部分からなり、そのうち、取り付けカラム６１は、上下方向に延びている中空柱状に形成され、下端が位置制限部材１７の上端に当接されることで、第１ダンピング部材４０がチャンネル６１１内に取り付けられると、第１ダンピング部材４０の下端が位置制限部材１７の上端に当接でき、それにより、第１ダンピング部材４０の下向きの運動を制限する。
【００４１】
制限部６２は、取り付けカラム６１の上端に設けられ、取り付けカラム６１の周方向に沿って内へ延びている環状止めシートに形成でき、制限部６２は第１ダンピング部材４０の上端を止めることができ、それにより、チャンネル６１１内の第１ダンピング部材４０の運動を制限し、ダンパー１００の一体構造安定性を確保する。
【００４２】
好ましくは、本発明の実施例による下支持部６０は、それぞれ取り付けカラム６１の軸方向に延びており、且つ取り付けカラム６１の周方向に間隔を空けて取り付けカラム６１の外表面に設けられ、バネの一端が当接される複数の止めリブ６３を更に備える。
【００４３】
具体的には、図１及び図４に示すように、取り付けカラム６１の外表面には、上下方向に延びている複数の止めリブ６３が設けられ、止めリブ６３は、取り付けカラム６１の外表面に沿って外へ突出しており、且つ上から下へ突出長さが長くなり、寸法がバネの寸法に対応するように長くなると、停止する。それにより、下支持部６０に複数の止めリブ６３を設けることで、バネと嵌合しやすい。
【００４４】
本発明の一実施例によれば、下支持部６０は、取り付けカラム６１から、第１ダンピング部材４０から離れた一側へ延びているとともに、ダンパースリーブ１０に係合される取り付け部６４を更に備える。つまり、取り付けカラム６１の下端には、ダンパースリーブ１０の上端に係合される取り付け部６４が更に設けられる。それにより、下支持部６０とダンパースリーブ１０が係合して接続されることで、部材の組み立て・交換を容易にする。
【００４５】
本発明のいくつかの具体的な実施形態では、ダンパースリーブ１０と下支持部６０との接続部位には、ダンパースリーブ１０の周方向に外へ突出しているボス１３が設けられ、ボス１３には、取り付け部６４と嵌合する係合溝１４が設けられ、取り付け部６４には、係合溝１４内に係合される係合爪が設けられている。それにより、該嵌合は、構造がシンプルで実現可能であり、製造と組み立てが容易であり、コストが低い。
【００４６】
本発明のいくつかの具体的な実施形態では、下支持部６０は一体成形部材である。つまり、下支持部６０の取り付けカラム６１、制限部６２、止めリブ６３及び取り付け部６４はいずれも一体成形できる。それにより、一体成形の構造は、変形や損傷がしにくいように、一体構造の安定性を確保し、ダンパー１００の剛性を高めることができ、また、成形しやすく、コストが低い。
【００４７】
本発明の一実施例によれば、第２ダンピング部材８０は、ダンパーロッド２０の一端に固定され、第２ダンピング部材８０の外壁面と収納キャビティ１１の内側壁面との間には、隙間を有する。好ましくは、ダンパー１００は、ダンパーロッド２０の一端に設けられて、第２ダンピング部材８０を固定する取り付けナット２１を更に備える。
【００４８】
つまり、第２ダンピング部材８０は、ほぼ柱状に形成され、取り付けナット２１を介してダンパーロッド２０の下端に取り付けられる。それにより、該構造の第２ダンピング部材８０は、構造がシンプルであり、且つ組み立てやすい。
【００４９】
洗濯機の異なる構造を配慮すると、ダンパー１００の構造は、必要に応じて合理的に調整することができる。本発明のいくつかの具体的な実施例では、図１及び図２に示すように、ダンパーロッド２０から離れたダンパースリーブ１０の一端には取り付け穴１５が設けられ、ダンパースリーブ１０はヒンジを介して取り付け穴１５を通り抜けて洗濯機の台座に取り付けられる。
【００５０】
本発明の他のいくつかの具体的な実施例では、ダンパーロッド２０から離れたダンパースリーブ１０の一端には取り付けねじ１６が設けられ、ダンパースリーブ１０は取り付けねじ１６を介して洗濯機の台座に取り付けられる。それにより、本発明の実施例によるダンパー１００は、様々な構造の洗濯機に適用でき、使用範囲が広い。
【００５１】
本発明の実施例による洗濯機は、パルセータ洗濯機であってもよく、ドラム洗濯機であってもよい上記実施例に記載の洗濯機用ダンパー１００を備える。本発明の上記実施例に記載の洗濯機用ダンパー１００が上記技術効果を有するため、本発明の実施例による洗濯機も対応する技術的効果を有し、つまり、内箱の揺れを効果的に減少させることができ、また、ダンパー１００が小さな洗濯機の下部スペースを占め、洗濯機の容量を解放できる。
【００５２】
本発明の実施例による洗濯機のその他の構成及び操作は、当業者にとっては理解可能であり、実施が容易であり、従って詳細な説明が省略される。
【００５３】
本明細書の説明において、「一実施例」、「いくつかの実施例」、「例示的な実施例」、「例」、「具体例」、又は「いくつかの例」などの用語を参考した説明とは、当該実施例又は例に合わせて説明された具体的な特徴、構造、材料、又は特徴が、本発明の少なくとも一つの実施例又は例に含まれることを意味する。本明細書において、上記用語に対する例示的な説明は必ずしも同一の実施例又は例を示すことではない。また、説明された具体的な特徴、構造、材料、又は特徴は、いずれか一つ又は複数の実施例又は例において適切な形態で結合することができる。
【００５４】
本発明の実施例を示して開示したが、当業者であれば、本発明の原理や主旨から逸脱することなく、これらの実施例に対する様々な変化、補正、置換や変形が可能であることを理解でき、本発明の範囲は特許請求の範囲及びその等価物で限定される。
【符号の説明】
【００５５】
ダンパー１００
ダンパースリーブ１０
収納キャビティ１１
排気孔１２
ボス１３
係合溝１４
取り付け穴１５
取り付けねじ１６
位置制限部材１７
ダンパーロッド２０
取り付けナット２１
弾性部材３０
第１ダンピング部材４０
上支持部５０
下支持部６０
取り付けカラム６１
チャンネル６１１
制限部６２
止めリブ６３
取り付け部６４
第２ダンピング部材８０
【図１】
0006961792.tif 000002
【図２】
0006961792.tif 000003
【図３】
0006961792.tif 000004
【図４】
0006961792.tif 000005
【図５】
0006961792.tif 000006